(57)【要約】【課題】テープ供給体を、収容ケースに収容された状態で、片持ちで回転可能に支持することができる載置台を提供する。【解決手段】テープ印刷装置に送られるテープが巻回されたテープロール３０３を有するテープ供給体３０１と、テープ供給体３０１を収容した収容ケース２０３と、を備えた収容体２０１が載置される載置台１０１であって、収容体２０１が載置される載置面１１３と、載置面１１３から突出して設けられ、収容体２０１が載置面１１３に載置されるときにテープ供給体３０１の軸部３１３に挿入され、テープ供給体３０１を回転可能に支持する回転支持部１０９とを備えた。【選択図】図６
2020203782.tif 000002
【特許請求の範囲】
【請求項１】
テープ印刷装置に送られるテープが巻回されたテープロールを有するテープ供給体と、前記テープ供給体を収容した収容ケースと、を備えた収容体が載置される載置台であって、
前記収容体が載置される載置面と、
前記載置面から突出して設けられ、前記収容体が前記載置面に載置されるときに前記テープ供給体の軸部に挿入され、前記テープ供給体を回転可能に支持する回転支持部と、
を備えたことを特徴とする載置台。
【請求項２】
前記載置面から突出して設けられ、前記収容ケースの側壁部と接することで、前記回転支持部に対して前記軸部を位置決めする位置決め凸部、を備えたことを特徴とする請求項１に記載の載置台。
【請求項３】
前記載置面は、前記収容体が前記載置面に載置された状態で、前記収容ケースの角部が前記載置面からはみ出すように、前記載置面の角部が面取りされていることを特徴とする請求項１または２に記載の載置台。
【請求項４】
テープ印刷装置に設けられた印刷側係合部と係合する載置側係合部、を備えたことを特徴とする請求項１ないし３のいずれか一項に記載の載置台。
【請求項５】
前記回転支持部は、前記載置面から突出したベース部と、前記ベース部の上面から突出した支持凸部と、を有し、
前記テープ供給体は、前記テープロールが載置されたフランジ部、を有し、
前記収容体が前記載置面に載置されると、前記ベース部の上面に前記軸部の下端部が接し、前記フランジ部と前記収容ケースの底壁部との間に隙間が生じることを特徴とする請求項１ないし４のいずれか一項に記載の載置台。
【請求項６】
テープが巻回されたテープロールを有するテープ供給体と、前記テープ供給体を収容した収容ケースと、を備えた収容体が載置される載置台と、前記載置台から送られた前記テープに印刷を行うテープ印刷装置と、を備えたテープ印刷システムであって、
前記載置台は、
前記収容体が載置される載置面と、
前記載置面から突出して設けられ、前記収容体が前記載置面に載置されるときに前記テープ供給体の軸部に挿入され、前記テープ供給体を回転可能に支持する回転支持部と、
を備えたことを特徴とするテープ印刷システム。
【請求項７】
前記回転支持部は、前記テープロールが、前記テープ印刷装置に送られた前記テープよりも下方に位置するように、前記テープロールを支持することを特徴とする請求項６に記載のテープ印刷システム。
【発明の詳細な説明】
【技術分野】
【０００１】
本発明は、テープ印刷装置に送られるテープを収容した収容体が載置される載置台およびテープ印刷システムに関するものである。
【背景技術】
【０００２】
従来、特許文献１が開示するように、２つのテープカートリッジ支持アームを備えたレタリングテープ印刷機が知られている。２つのテープカートリッジ支持アームには、コアに剥離紙付テープが巻回された剥離紙付テープロールと、剥離紙付テープロールを収容したケースと、を備えたレタリングテープカートリッジが載置される。各テープカートリッジ支持アームには、コアの外周面と摺接する開放軸受が設けられており、２つのテープカートリッジ支持アームは、コアを両持ちで回転可能に支持する。
【先行技術文献】
【特許文献】
【０００３】
【特許文献１】特開平８−０３９８７８号公報
【発明の概要】
【発明が解決しようとする課題】
【０００４】
従来のレタリングテープ印刷機は、ケースに収容された剥離紙付テープロールを、片持ちで回転可能に支持することができない。
【課題を解決するための手段】
【０００５】
本発明の載置台は、テープ印刷装置に送られるテープが巻回されたテープロールを有するテープ供給体と、テープ供給体を収容した収容ケースと、を備えた収容体が載置される載置台であって、収容体が載置される載置面と、載置面から突出して設けられ、収容体が載置面に載置されるときにテープ供給体の軸部に挿入され、テープ供給体を回転可能に支持する回転支持部と、を備えた。
【０００６】
本発明のテープ印刷システムは、テープが巻回されたテープロールを有するテープ供給体と、テープ供給体を収容した収容ケースと、を備えた収容体が載置される載置台と、載置台から送られたテープに印刷を行うテープ印刷装置と、を備えたテープ印刷システムであって、載置台は、収容体が載置される載置面と、載置面から突出して設けられ、収容体が載置面に載置されるときにテープ供給体の軸部に挿入され、テープ供給体を回転可能に支持する回転支持部と、を備えた。
【図面の簡単な説明】
【０００７】
【図１】テープ印刷装置と、テープ印刷装置に連結された載置台と、載置台に載置された収容体とを上方から見た図であり、収容ケースの一部を破断して示す図である。
【図２】テープ印刷装置と、テープ印刷装置に連結された載置台と、載置台に載置された収容体とを下方から見た図である。
【図３】カートリッジ装着部にリボンカートリッジが装着されていない状態のテープ印刷装置を上方から見た図である。
【図４】カートリッジ装着部にリボンカートリッジが装着された状態のテープ印刷装置を上方から見た図である。
【図５】載置台と、載置台に載置された収容体を上方から見た図であり、収容ケースの一部を破断して示す図である。
【図６】載置台および載置台に載置された収容体の断面図である。
【図７】収容体を下方から見た図である。
【図８】載置台の斜視図である。
【図９】載置台を上方から見た図である。
【図１０】回転支持部に支持されたテープロールと、テープ印刷装置に送られたテープとの、上下方向における位置関係を示す図である。
【発明を実施するための形態】
【０００８】
以下、添付の図面を参照しつつ、載置台およびテープ印刷システムの一実施形態について説明する。なお、図面に表示したＸＹＺ直交座標系は、説明の便宜上のものにすぎず、以下の実施形態を何ら限定するものではないが、＋Ｚ方向は上方向を意味し、−Ｚ方向は下方向を意味する。また、各部の個数などを示す数値は、いずれも例示にすぎず、以下の実施形態を何ら限定するものではない。
【０００９】
［テープ印刷システム］
図１および図２に示すように、テープ印刷システムＳｙは、テープ印刷装置１と、載置台１０１とを備えている。載置台１０１には、収容体２０１が載置される。収容体２０１には、テープ供給体３０１と、リボンカートリッジ４０１とが収容されている。テープ印刷装置１には、収容体２０１から取り出されたリボンカートリッジ４０１が着脱可能に装着される（図４参照）。また、テープ印刷装置１には、収容体２０１に収容されたテープ供給体３０１からテープ３１１（図５参照）が供給される。
【００１０】
［テープ印刷装置］
図３および図４に示すように、テープ印刷装置１は、装置ケース３と、装着部カバー５とを備えている。装置ケース３の＋Ｘ側の面には、テープ導入口７が設けられている。テープ導入口７からは、テープ供給体３０１から送られたテープ３１１が、装置ケース３内に導入される。装置ケース３の−Ｘ側の面には、テープ排出口９が設けられている。テープ排出口９からは、装置ケース３内に導入され印刷されたテープ３１１が、装置ケース３外へ排出される。
【００１１】
装着部カバー５は、カートリッジ装着部１１を開閉する。なお、装着部カバー５の内部には、図示省略したが、キーボードおよびディスプレーが設けられている。キーボードは、文字列等の印刷情報や、印刷実行等の各種指示の入力操作を受け付ける。ディスプレーは、キーボードから入力された印刷情報のほか、各種情報を表示する。
【００１２】
カートリッジ装着部１１は、＋Ｚ側が開放された凹状に形成されている。カートリッジ装着部１１の底面には、印刷ヘッド１３が、＋Ｚ側に突出して設けられている。印刷ヘッド１３は、発熱素子を備えたサーマルヘッドである。また、カートリッジ装着部１１の底面には、−Ｘ側から順に、プラテン軸１５と、繰出し軸１７と、巻取り軸１９とが、＋Ｚ側に突出して設けられている。
【００１３】
リボンカートリッジ４０１は、プラテンローラー４０３と、繰出しコア４０５と、巻取りコア４０７と、これらを収容したカートリッジケース４０９とを備えている。繰出しコア４０５には、インクリボン４１１が巻回されている。繰出しコア４０５から繰り出されたインクリボン４１１は、巻取りコア４０７に巻き取られる。カートリッジケース４０９には、ヘッド挿通孔４１３が、Ｚ方向に貫通して設けられている。また、カートリッジケース４０９には、テープ経路４１５が溝状に設けられている。テープ導入口７から導入されたテープ３１１は、テープ経路４１５を通って、テープ排出口９へ送られる。
【００１４】
リボンカートリッジ４０１がカートリッジ装着部１１に装着されると、印刷ヘッド１３、プラテン軸１５、繰出し軸１７および巻取り軸１９が、それぞれ、ヘッド挿通孔４１３、プラテンローラー４０３、繰出しコア４０５および巻取りコア４０７に挿入される。この状態で、装着部カバー５が閉められると、図示省略したヘッド移動機構により、印刷ヘッド１３がプラテン軸１５に向けて移動する。これにより、印刷ヘッド１３とプラテンローラー４０３との間に、テープ３１１およびインクリボン４１１が挟持される。テープ印刷装置１は、プラテンローラー４０３を回転させることによりテープ３１１およびインクリボン４１１を送りつつ、印刷ヘッド１３を発熱させることにより、キーボード等から入力された印刷情報をテープ３１１に印刷する。
【００１５】
装置ケース３の−Ｚ側の面には、＋Ｘ側の端部に、印刷側係合部２１が設けられている（図２参照）。印刷側係合部２１は、Ｙ方向に長い略長方形状の開口であり、後述する載置側係合部１０７と係合する。
【００１６】
［収容体］
図５ないし図７に示すように、収容体２０１は、テープ供給体３０１と、押え部材３０７と、リボンカートリッジ４０１と、これらを収容した収容ケース２０３とを備えている。
【００１７】
テープ供給体３０１は、テープロール３０３と、ロール部材３０５とを備えている。テープロール３０３は、テープコア３０９にテープ３１１が巻回されたものである。テープロール３０３から繰り出されたテープ３１１の先端部は、リボンカートリッジ４０１のテープ経路４１５に導入されている。
【００１８】
ロール部材３０５は、テープロール３０３の−Ｚ側に設けられている。ロール部材３０５は、軸部３１３と、フランジ部３１５と、コア嵌合部３１７とを備えている。
【００１９】
軸部３１３は、略円筒状に形成されている。軸部３１３は、テープコア３０９を貫通するように、テープコア３０９に−Ｚ側から挿入されている。軸部３１３には、収容体２０１が載置台１０１に載置されるときに、後述する回転支持部１０９が−Ｚ側から挿入される。軸部３１３の＋Ｚ側の端部には、軸側係合部３１９が設けられている。軸側係合部３１９は、後述する挿入側係合部３３１と係合している。
【００２０】
フランジ部３１５は、軸部３１３の−Ｚ側の端部から径方向外側にフランジ状に設けられている。フランジ部３１５の外縁部は、−Ｚ側に屈曲している。
【００２１】
コア嵌合部３１７は、軸部３１３の径方向外側に設けられ、フランジ部３１５の＋Ｚ側の面から環状に突出して設けられている。コア嵌合部３１７は、テープコア３０９に−Ｚ側から挿入され、テープコア３０９と嵌合している。すなわち、フランジ部３１５の＋Ｚ側の面のうち、コア嵌合部３１７よりも径方向外側の領域に、テープロール３０３が載置されている。
【００２２】
押え部材３０７は、テープロール３０３の＋Ｚ側に設けられている。押え部材３０７は、軸挿入部３２１と、２つのリング接続部３２３と、リング部３２５と、３つの載上げ抑制部３２７と、３つの落下抑制部３２９とを備えている。
【００２３】
軸挿入部３２１には、フック状の挿入側係合部３３１が複数設けられている。軸挿入部３２１が軸部３１３に＋Ｚ側から挿入されると、軸側係合部３１９と挿入側係合部３３１とが係合する。これにより、軸部３１３と軸挿入部３２１とが、互いに回転可能に連結される。リング部３２５は、リング接続部３２３を介して軸挿入部３２１と接続されている。
【００２４】
載上げ抑制部３２７は、リング部３２５から径方向外側に延在しており、テープロール３０３の＋Ｚ側の端面と対向している。載上げ抑制部３２７は、収容体２０１の輸送中などに、テープロール３０３からばらけたテープ３１１が、テープロール３０３に載り上げることを抑制している。なお、テープロール３０３の＋Ｚ側の端面と載上げ抑制部３２７との間には、隙間がある（図６参照）。
【００２５】
落下抑制部３２９は、載上げ抑制部３２７の先端部から−Ｚ側に延在している。落下抑制部３２９の先端部は、径方向内側にフック状に屈曲しており、フランジ部３１５の外縁部と係合している。落下抑制部３２９は、収容体２０１の輸送中などに、テープロール３０３からばらけたテープ３１１が、フランジ部３１５から落下することを抑制している。
【００２６】
なお、テープロール３０３からテープ３１１が繰り出されると、テープロール３０３およびロール部材３０５が一体となって回転する。一方、上述したように、ロール部材３０５の軸部３１３と押え部材３０７の軸挿入部３２１とは、互いに回転可能に連結されている。また、押え部材３０７は、図示しない保持部材により、回転しないように保持されている。このため、押え部材３０７は、テープロール３０３およびロール部材３０５が一体となって回転しても、回転することなく、とどまっている。
【００２７】
収容ケース２０３は、テープ供給体３０１と、押え部材３０７と、リボンカートリッジ４０１を収容している。なお、収容ケース２０３の材質は、特に限定されず、例えば、段ボールなどの紙製でもよく、樹脂製でもよい。収容ケース２０３は、略直方体状に形成されており、＋Ｘ側の第１側壁部２０５と、−Ｘ側の第２側壁部２０７と、＋Ｙ側の第３側壁部２０９と、−Ｙ側の第４側壁部２１１と、＋Ｚ側の天壁部２１３と、−Ｚ側の底壁部２１５とを備えている。第２側壁部２０７には、テープ送出口２１７が設けられている。テープロール３０３から繰り出されたテープ３１１は、テープ送出口２１７からテープ印刷装置１へ向けて送り出される。
【００２８】
また、収容ケース２０３内には、仕切り部材２１９が設けられている。仕切り部材２１９は、収容ケース２０３内の空間を、−Ｙ側のテープ収容エリア２２１と、＋Ｙ側のカートリッジ収容エリア２２３と、に仕切るものである。テープ収容エリア２２１には、テープ供給体３０１および押え部材３０７が収容され、カートリッジ収容エリア２２３には、リボンカートリッジ４０１が収容される。
【００２９】
底壁部２１５の−Ｙ側寄りの箇所には、図７に示すように、挿入開口２２５が設けられている。すなわち、挿入開口２２５は、テープ収容エリア２２１に収容されたテープ供給体３０１の軸部３１３に対応する位置に設けられている。収容体２０１が載置台１０１に載置されたときに、回転支持部１０９は、挿入開口２２５を介して、軸部３１３に挿入される（図６参照）。
【００３０】
［載置台］
図８および図９に示すように、載置台１０１は、載置部１０３と、４つの脚部１０５と、載置側係合部１０７と、回転支持部１０９と、位置決め凸部１１１とを備えている。
【００３１】
載置部１０３は、略長方形の板状に形成されており、載置部１０３の＋Ｚ側の面は、収容体２０１が載置される載置面１１３である。載置面１１３は、収容ケース２０３の底壁部２１５と略同形同サイズの略長方形状に形成されているが、収容体２０１が載置面１１３に載置された状態で、底壁部２１５の４つの角部が載置面１１３からはみ出すように（図５参照）、載置面１１３の４つの角部に面取り部１１５が設けられている。これにより、ユーザーは、載置台１０１に載置された収容体２０１の底壁部２１５の角部に指を宛がうことができ、載置台１０１から収容体２０１を容易に持ち上げることができる。なお、面取り部１１５は、載置面１１３の少なくとも１つの角部に設けられていればよく、例えば、対角位置となる２つの角部に設けられた構成でもよい。
【００３２】
また、載置面１１３の−Ｘ側の縁部には、＋Ｘ側に凹んだ載置凹部１１７が設けられている。載置凹部１１７は、後述するように、装置ケース３の印刷側係合部２１と、載置側係合部１０７と、を係合させた際、載置凹部１１７に、装置ケース３の＋Ｘ側の端部が収まるように形成されている（図１参照）。
【００３３】
４つの脚部１０５は、載置部１０３の４つの角部の−Ｚ側に設けられており、載置部１０３を支持する。脚部１０５と脚部１０５との間には、脚部１０５同士を接続する脚接続部１１９が設けられている。
【００３４】
載置側係合部１０７は、−Ｘ側の脚接続部１１９の−Ｘ側の面から突出して設けられている。すなわち、載置側係合部１０７は、載置凹部１１７に設けられている。載置側係合部１０７は、装置ケース３に設けられた印刷側係合部２１と係合する（図２参照）。これにより、載置台１０１がテープ印刷装置１と連結される。ユーザーは、載置凹部１１７がテープ印刷装置１に対して−Ｙ側に位置ずれした状態から、載置凹部１１７に装置ケース３の＋Ｘ側の端部が収まるように、装置ケース３の＋Ｘ側の面に沿って載置台１０１を＋Ｙ側にスライドさせることで、印刷側係合部２１に載置側係合部１０７を係合させることができる。載置台１０１がテープ印刷装置１と連結されることで、テープ印刷装置１に対して載置台１０１が位置決めされる。したがって、載置台１０１に載置された収容体２０１からテープ印刷装置１にテープ３１１を良好に送ることができる。
【００３５】
回転支持部１０９は、載置面１１３の−Ｙ側寄りの箇所から、有蓋の略段付き円筒状に突出して設けられている。回転支持部１０９は、収容体２０１が載置台１０１に載置されたときに、挿入開口２２５を介して、ロール部材３０５の軸部３１３に挿入される（図６参照）。
【００３６】
回転支持部１０９は、載置面１１３から突出したベース部１２１と、ベース部１２１の＋Ｚ側の面から突出した支持凸部１２３とを備えている。回転支持部１０９は、収容体２０１が載置台１０１に載置されたときに、テープ供給体３０１を回転可能に支持する。テープ３１１の繰出しに伴ってテープ供給体３０１が回転すると、軸部３１３の下端部がベース部１２１の＋Ｚ側の面と摺接すると共に、軸部３１３の内周面が支持凸部１２３の外周面と摺接する。
【００３７】
ベース部１２１のＺ方向における寸法は、底壁部２１５のＺ方向における寸法よりも大きい。このため、収容体２０１が載置台１０１に載置されると、ベース部１２１の＋Ｚ側の面に、軸部３１３の下端部が接し、フランジ部３１５と収容ケース２０３の底壁部２１５との間に隙間が生じた状態となる。これにより、フランジ部３１５と底壁部２１５との間に摺動摩擦抵抗が生じることが抑制される。このため、回転支持部１０９は、テープ供給体３０１をスムーズに回転可能に支持することができる。
【００３８】
位置決め凸部１１１は、載置面１１３の＋Ｘ側の縁部と、載置面１１３の＋Ｙ側の縁部と、載置面１１３の−Ｙ側の縁部との３箇所の縁部から突出して設けられている。載置面１１３の＋Ｘ側の縁部から突出した位置決め凸部１１１は、Ｙ方向に延在しており、収容ケース２０３の第１側壁部２０５と接することで、回転支持部１０９に対して挿入開口２２５および軸部３１３をＸ方向に位置決めする。載置面１１３の＋Ｙ側の縁部から突出した位置決め凸部１１１は、Ｘ方向に延在しており、収容ケース２０３の第３側壁部２０９と接することで、回転支持部１０９に対して挿入開口２２５および軸部３１３をＹ方向に位置決めする。載置面１１３の−Ｙ側の縁部から突出した位置決め凸部１１１は、Ｘ方向に延在しており、収容ケース２０３の第４側壁部２１１と接することで、回転支持部１０９に対して挿入開口２２５および軸部３１３をＸ方向に位置決めする。なお、上述したように、底壁部２１５の４つの角部が載置面１１３からはみ出すようにして、収容体２０１が載置面１１３に載置されるため、位置決め凸部１１１は、載置面１１３の４つの角部すなわち面取り部１１５には設けられていない。
【００３９】
このように、位置決め凸部１１１は、収容ケース２０３の第１側壁部２０５、第３側壁部２０９および第４側壁部２１１と接することで、回転支持部１０９に対して挿入開口２２５および軸部３１３を位置決めする。これにより、ユーザーは、収容体２０１を載置台１０１に載置する際に、位置決め凸部１１１に収容ケース２０３の第１側壁部２０５、第３側壁部２０９および第４側壁部２１１が接するように収容体２０１を載置することで、挿入開口２２５を介して軸部３１３に回転支持部１０９を容易に挿入することができる。
【００４０】
なお、位置決め凸部１１１は、収容ケース２０３の４つの側壁部のうち、３つの側壁部と接する構成に限定されず、少なくとも１つの側壁部と接する構成でもよい。例えば、位置決め凸部１１１が、第１側壁部２０５および第２側壁部２０７の少なくとも一方と接すると共に、第３側壁部２０９および第４側壁部２１１の少なくとも一方と接する構成でもよい。この構成によれば、載置面１１３に対して収容体２０１をＸ方向およびＹ方向に位置決めすることができる。また、位置決め凸部１１１は、載置面１１３の縁部に設けられた構成に限定されず、載置面１１３の縁部よりも内側に設けられた構成でもよい。
【００４１】
図１０に示すように、回転支持部１０９、ひいては載置台１０１は、テープロール３０３が、テープ印刷装置１に送られたテープ３１１、すなわち、カートリッジ装着部１１に装着されたリボンカートリッジ４０１のテープ経路４１５に導入されたテープ３１１、よりも−Ｚ側に位置するように、テープロール３０３を支持する。ここで、Ｚ方向における位置比較の基準は、図１０にて二点鎖線で示すように、カートリッジ装着部１１に装着されたリボンカートリッジ４０１のテープ経路４１５に導入されたテープ３１１の−Ｚ側の端部、およびテープロール３０３の−Ｚ側の端部とする。なお、載置台１０１とテープ印刷装置１とは、同一平面上に設置されている。
【００４２】
本実施形態とは異なり、回転支持部１０９に支持されたテープロール３０３が、テープ印刷装置１に送られたテープ３１１よりも、＋Ｚ側に位置している構成では、テープロール３０３とテープ印刷装置１との間で、テープロール３０３から繰り出されたテープ３１１に対して−Ｚ側に力が掛かる。しかしながら、テープロール３０３の−Ｚ側の端面はロール部材３０５のフランジ部３１５と接しているため、繰り出されたテープ３１１が−Ｚ側に逃げることができない。このため、繰り出されたテープ３１１に歪みが生じ、テープ印刷装置１において、テープ３１１の搬送不良が生じるおそれがある。
【００４３】
これに対し、本実施形態では、回転支持部１０９に支持されたテープロール３０３が、テープ印刷装置１に送られたテープ３１１よりも、−Ｚ側に位置しているため、テープロール３０３とテープ印刷装置１との間で、テープロール３０３から繰り出されたテープ３１１に対して＋Ｚ側に力が掛かる。そして、上述したように、テープロール３０３の＋Ｚ側の端面と押え部材３０７の載上げ抑制部３２７との間には隙間があるため、繰り出されたテープ３１１が＋Ｚ側に逃げることができる。このため、繰り出されたテープ３１１に歪みが生じることが抑制される。したがって、テープ印刷装置１において、テープ３１１に搬送不良が生じることを抑制することができる。なお、回転支持部１０９は、カートリッジ装着部１１に装着されたリボンカートリッジ４０１のテープ経路４１５に導入されたテープ３１１よりも、＋Ｚ側に位置しなければよい。換言すると、回転支持部１０９と、カートリッジ装着部１１に装着されたリボンカートリッジ４０１のテープ経路４１５に導入されたテープ３１１とが、Ｚ方向において同じ位置であってもよい。
【００４４】
以上のとおり、本実施形態の載置台１０１は、収容体２０１が載置される載置面１１３と、収容体２０１が載置面１１３に載置されるときに軸部３１３に挿入され、テープ供給体３０１を回転可能に支持する回転支持部１０９とを備えている。これにより、テープ供給体３０１を、収容ケース２０３に収容された状態で、片持ちで回転可能に支持することができる。
【００４５】
［その他の変形例］
上記の実施形態に限定されず、その趣旨を逸脱しない範囲で種々の構成を採用可能であることは言うまでもない。例えば、上記の実施形態は、上述したほか、以下のような形態に変更することができる。
【００４６】
載置台１０１は、テープ印刷装置１と連結可能な構成に限定されず、載置台１０１がテープ印刷装置１と分離された状態で、載置台１０１に載置された収容体２０１からテープ３１１がテープ印刷装置１に供給される構成でもよい。これとは逆に、載置台１０１は、テープ印刷装置１と分離不能に一体化された構成でもよい。
【００４７】
収容ケース２０３は、テープ供給体３０１、押え部材３０７およびリボンカートリッジ４０１が収容された構成に限定されず、例えば、テープ供給体３０１および押え部材３０７が収容された構成でもよく、テープ供給体３０１のみが収容された構成でもよい。
【００４８】
テープ供給体３０１がロール部材３０５を備えておらず、回転支持部１０９が、テープロール３０３を回転可能に直接支持する構成でもよい。この場合、テープコア３０９が「軸部」として機能する。
また、上記した実施形態や変形例を組み合わせた構成でもよい。
【００４９】
［付記］
以下、載置台およびテープ印刷システムについて付記する。
載置台は、テープ印刷装置に送られるテープが巻回されたテープロールを有するテープ供給体と、テープ供給体を収容した収容ケースと、を備えた収容体が載置される載置台であって、収容体が載置される載置面と、載置面から突出して設けられ、収容体が載置面に載置されるときにテープ供給体の軸部に挿入され、テープ供給体を回転可能に支持する回転支持部と、を備えた。
【００５０】
この構成によれば、テープ供給体を、収容ケースに収容された状態で、片持ちで回転可能に支持することができる。
【００５１】
この場合、載置面から突出して設けられ、収容ケースの側壁部と接することで、回転支持部に対して軸部を位置決めする位置決め凸部、を備えたことが好ましい。
【００５２】
この構成によれば、回転支持部を軸部に容易に挿入することができる。
【００５３】
この場合、載置面は、収容体が載置面に載置された状態で、収容ケースの角部が載置面からはみ出すように、載置面の角部が面取りされていることが好ましい。
【００５４】
この構成によれば、載置台に載置された収容体を容易に持ち上げることができる。
【００５５】
この場合、テープ印刷装置に設けられた印刷側係合部と係合する載置側係合部、を備えたことが好ましい。
【００５６】
この構成によれば、載置台がテープ印刷装置と連結されることで、テープ印刷装置に対して載置台が位置決めされる。したがって、載置台に載置された収容体からテープ印刷装置にテープを良好に送ることができる。
【００５７】
この場合、回転支持部は、載置面から突出したベース部と、ベース部の上面から突出した支持凸部と、を有し、テープ供給体は、テープロールが載置されたフランジ部、を有し、収容体が載置面に載置されると、ベース部の上面に軸部の下端部が接し、フランジ部と収容ケースの底壁部との間に隙間が生じることが好ましい。
【００５８】
この構成によれば、テープ供給体が回転したときに、フランジ部と底壁部との間に摺動摩擦抵抗が生じることが抑制される。このため、回転支持部は、テープ供給体をスムーズに回転可能に支持することができる。
【００５９】
テープ印刷システムは、テープが巻回されたテープロールを有するテープ供給体と、テープ供給体を収容した収容ケースと、を備えた収容体が載置される載置台と、載置台から送られたテープに印刷を行うテープ印刷装置と、を備えたテープ印刷システムであって、載置台は、収容体が載置される載置面と、載置面から突出して設けられ、収容体が載置面に載置されるときにテープ供給体の軸部に挿入され、テープ供給体を回転可能に支持する回転支持部と、を備えた。
【００６０】
この構成によれば、テープ供給体を、収容ケースに収容された状態で、片持ちで回転可能に支持することができる。
【００６１】
この場合、回転支持部は、テープロールが、テープ印刷装置に送られたテープよりも下方に位置するように、テープロールを支持することが好ましい。
【００６２】
この構成によれば、テープロールとテープ印刷装置との間で、テープロールから繰り出されたテープが上方に逃げることができる。このため、テープロールとテープ印刷装置との間で、繰り出されたテープに歪みが生じることが抑制される。したがって、テープ印刷装置において、テープにジャムが生じることを抑制することができる。
【符号の説明】
【００６３】
１…テープ印刷装置、２１…印刷側係合部、１０１…載置台、１０７…載置側係合部、１０９…回転支持部、１１１…位置決め凸部、１１３…載置面、１２１…ベース部、１２３…支持凸部、２０１…収容体、２０３…収容ケース、２１５…底壁部、３０１…テープ供給体、３０３…テープロール、３１１…テープ、３１３…軸部、３１５…フランジ部、Ｓｙ…テープ印刷システム。
【図１】
2020203782.tif 000003
【図２】
2020203782.tif 000004
【図３】
2020203782.tif 000005
【図４】
2020203782.tif 000006
【図５】
2020203782.tif 000007
【図６】
2020203782.tif 000008
【図７】
2020203782.tif 000009
【図８】
2020203782.tif 000010
【図９】
2020203782.tif 000011
【図１０】
2020203782.tif 000012